(57)【要約】      （修正有）【課題】ピニオンと噛合するラックの取付け取外しが容易に行えるようにするラック保持ユニットを提供する。【解決手段】ラック保持ユニットは、ラック保持部材１４と、該ラック保持部材にラック１２を固定する固定具１６とを有する。ラック保持部材１４は、ラックが載置される底壁１４Ａと、ラックの一方のフランジ１２Ｃに隣接し該フランジに沿って延びる第１保持用壁１４Ｂと、該第１保持用壁からラックに向かって延びる底壁との間にフランジ１２Ｃを挟着する抑え壁１４Ｄと、を有する。固定具１６は、ラックの長さ方向両端に隣接配置されてラック保持部材１４に固定されることにより、該ラックのその長さ方向での変位を阻止するための一対の固定用部材を有し、該固定用部材は、それぞれ、ラックの他方のフランジ１２Dを底壁との間で挟んで、抑え壁１４Ｄとともに、ラックが底壁から離れる方向で変位するのを阻止するラック抑え部を有する。【選択図】図２
2011137313.tif 000002
【特許請求の範囲】
【請求項１】
直線状に配列されたラック歯を有する細長いラック本体及び該ラック本体の左右側面に設けられ該ラック本体の長さ方向に延びる一対のフランジを有するラックを、保持するためのラック保持ユニットであって、
ラック保持部材と、
該ラック保持部材にラックを固定する固定具と
を有し、
該ラック保持部材は、該ラック保持部材に対して該ラックが固定されるときに、該ラックが載置される底壁と、該ラックの一方のフランジに隣接し該フランジに沿って延びる第１保持用壁と、該第１保持用壁から対向する該ラックの側面に向かって延びて該底壁との間に、該ラックの該側面に向いた開口を有する該ラックの長さ方向に延びる第１係止用凹部を画定する抑え壁と、を有し、該開口を通して該一方のフランジを、該第１係止用凹部内に挿入して当該ラックが該底壁上に載置されるようになされており、
該固定具は、該一方のフランジが該第１係止用凹部に収納され該底壁上に載置された状態の該ラックの長さ方向両端に隣接配置されて該ラック保持部材に固定されることにより、該ラックのその長さ方向での変位を阻止するための一対の固定用部材を有し、該固定用部材は、それぞれ、該ラックの他方のフランジを該底壁との間で挟んで、該抑え壁とともに、該ラックが該底壁から離れる方向で変位するのを阻止するラック抑え部を有することを特徴とするラック保持用ユニット。
【請求項２】
該ラック保持部材は、該開口を通して該一方のフランジを該係止用凹部内に挿入して当該ラックが該底壁上に載置されるのを許容するように該第１保持用壁から間隔をあけて該第１保持用壁に平行に延びる第２保持用壁を有し、該第２保持用壁は該長さ方向で延びて該第１保持用壁に面する開口を有する第２係止用凹部を有し、該固定用部材は該第１係止用凹部内に挿入される第１係止部と、該第２係止用凹部に挿入される第２係止部とを有する請求項１に記載のラック保持用ユニット。
【請求項３】
該固定具は、該固定用部材に形成されたネジ穴にネジ係合され、先端がラック保持部材の底壁面に当接されて該底壁面に対して垂直方向に延びるネジを有し、該先端を底壁面に当接させながら該ネジを回転することにより該固定用部材に該底壁面から離れる方向での力を加えて該固定用部材の該第１係止部及び第２係止部をそれぞれ第１係止用凹部の抑え壁及び第２係止用凹部を画定する壁に押圧することにより当該固定用部材を該ラック保持部材に対して固定するようにした請求項２に記載のラック保持用ユニット。
【請求項４】
該固定用部材は、該第１及び第２係止用凹部に沿って摺動可能とされて、該一方のフランジが該第１係止用凹部に挿入されて該底壁上に載置されたラックの両端側から当該ラックに向けて摺動することにより該ラック抑え部が、該他方のフランジ上に重なるようにされている請求項２又は３に記載のラック保持用ユニット。
【請求項５】
該他方のフランジが、該他方のフランジ上に重なるように摺動してくるラック抑え部の障害にならないような厚さとされており、且つ、該固定用部材が該ラックの端部に係止されるようになった状態では、該ラック抑え部が重なって押圧する隆起部を有する請求項４に記載のラック保持用ユニット。
【請求項６】
該ラックの一端と該一端に対応する該固定用部材との間に挟着される樹脂製の消音ラック部材を有し、該消音ラック部材が、該ラックと共に該固定用部材との間に挟着されたときに、該ラックのラック歯と整列して配置されるラック歯を有するようにした請求項１乃至５のいずれかに記載のラック保持用ユニット。
【請求項７】
該消音ラック部材が、その左右側面から突出し、該ラック保持部材の第１係止用凹部に嵌合される第１凸部と、該固定用部材の該抑え部によって抑えられる第２凸部とを有する請求項６に記載のラック保持用ユニット。
【請求項８】
該ラック保持部材が、引戸の戸枠上部に水平に固定されるようになされ、該引戸の戸車を回転可能に支持するレールを有し、該第１保持用壁が該レールと平行に延びるようにされ、該引戸に設定される制動装置を駆動するためのピニオンと噛合されるラックを該ラック保持部材の任意の位置に固定できるようにした請求項１乃至７に記載のラック保持用ユニット。
【請求項９】
該第１係止用凹部は、該ラックをその幅方向で動かすことにより該第１係止用凹部内に挿入することができるようにされている請求項１乃至８のいずれかに記載のラック保持用ユニット。
【請求項１０】
該第１係止用凹部は、該一方のフランジを該開口から傾斜した状態で受け入れ、そのように受け入れられたフランジを中心に該ラックを回動することにより該ラックが該底壁上に載置されるのを可能とするようにされている請求項１乃至８のいずれかに記載のラック保持用ユニット。
【発明の詳細な説明】
【技術分野】
【０００１】
本発明はピニオンと噛合されるラックを保持するためのラック保持ユニットに関し、特に、上吊り引戸の戸枠上部に水平に固定されて、引戸が閉止位置に近づいたときなどに、該引戸に設定された制動装置のピニオンが係合して回転され該制動装置を駆動するようにするためのラックを保持するのに適したラック保持ユニットに関する。
【背景技術】
【０００２】
上吊り引戸は、戸枠の上部枠部に水平方向で設定されるレールに回転自在に係合される戸車を有し、レールから吊るした状態に設定される。この上吊り引戸においては、引戸を開いたときに、該引戸に閉じる方向への力を付与するための力を蓄勢し、引戸から手が離されたときに、該引戸が自動的に閉じられるようにする自動閉扉装置や、この自動閉扉される引戸に対して制動をかけるための制動装置が設けられるようにしたものがある。
【０００３】
制動装置としては、ピニオンを備え、引戸が閉扉位置に近づいたときなどに、上記レールに平行に設定されているラックに該ピニオンが噛合することにより回転して当該制動装置を作動するようにしたものがある。通常は、レールを備えたレール部材が、該レールと平行に延びるラック保持溝を備えており、ラックは、該ラック保持溝の一端から挿入して適切な位置まで摺動し固定される（特許文献１参照）。従って、このラックの取り付けに当たっては、レール部材を引戸の戸枠上部に取り付ける前に、ラックを予めラック保持溝内に設定しておく必要がある。また、このラックを交換する必要が生じたときなどには、レール部材全体を戸枠上部から取り外す必要がある。
【０００４】
レール部材が取り付けられている狭い場所でそのような作業を行うことは煩雑であり、時間を要する。このため、ラックをラック保持溝の一端から挿入するのではなく、ラック保持溝の細長い開口におけるその長さ方向での所要の位置からラック全体をラック保持溝内にはめ込むようにしたものも開発されている（特許文献２参照）。しかし、そのようにするためにはラック及びラックを受け入れるラック保持溝にそれを可能とする手段を加工する必要があり、構造的に複雑となり、コスト増などをきたしやすく、製品化するには難しい点がある。
【先行技術文献】
【特許文献】
【０００５】
【特許文献１】特開２００５−３２０８５８号
【特許文献２】特開２００２−１８０７３４号
【発明の概要】
【発明が解決しようとする課題】
【０００６】
本発明は、上記に鑑み、簡単な構造で、ラックを極めて簡単に取付け及び取外しのできるようにしたラック保持ユニットを提供することを目的としている。
【課題を解決するための手段】
【０００７】
本発明では、直線状に配列されたラック歯を有する細長いラック本体及び該ラック本体の左右側面に設けられ該ラック本体の長さ方向に延びる一対のフランジを有するラックを、保持するためのラック保持ユニットであって、
ラック保持部材と、
該ラック保持部材にラックを固定する固定具と
を有し、
該ラック保持部材は、該ラック保持部材に対して固定されるときに、該ラックが載置される底壁と、該ラックの一方のフランジに隣接し該フランジに沿って延びる第１保持用壁と、該第１保持用壁から対向する該ラックの側面に向かって延びて該底壁との間に、該ラックの該側面に向いた開口を有する該ラックの長さ方向に延びる第１係止用凹部を画定する抑え壁と、を有し、該開口を通して該一方のフランジを、当該ラックをその幅方向で動かすことにより、該第１係止用凹部内に挿入して当該ラックが該底壁上に載置されるようになされており
該固定具は、該一方のフランジが該第１係止用凹部に収納され該底壁上に載置された状態の該ラックの長さ方向両端に隣接配置されて該ラック保持部材に固定されることにより、該ラックのその長さ方向での変位を阻止するための一対の固定用部材を有し、該固定用部材は、それぞれ、該ラックの他方のフランジを該底壁との間で挟んで、該抑え壁とともに、該ラックが該底壁から離れる方向で変位するのを阻止すると共に該他方のフランジが設けられているラックの側面に係合することにより、該ラックが幅方向で動いて該一方のフランジが該第１係止用凹部からはずれるのを阻止するラック抑え部を有することを特徴とするラック保持用ユニットを提供する。
【０００８】
このラック保持用ユニットにおいては、構造が簡単で、しかも、ラックをラック保持部材の長さ方向における所要の位置で簡単に取付け取外しすることができるようにするものであり、特許文献２とは異なり、構造が簡単であるために、そのような利便性のある製品の実用化を可能にするものである。換言するならば、特許文献２に開示された如きラック保持のための技術はその構造が複雑となるために製品化が難しく、実用化の困難性があり、実際に用いられているラック保持技術は、ラック交換などをするのに、当該ラックを保持するラック保持部材全体を、それが取り付けられている戸枠上部部分などから取り外す必要のある、例えば特許文献１にあるような技術を用いざるを得なかったが、本発明に係るラック保持用ユニットでは、その実用化が容易で、作業効率を飛躍的に向上することを可能にしている。
【０００９】
具体的には、該ラック保持部材は、該開口を通して該一方のフランジを該係止用凹部内に挿入して当該ラックが該底壁上に載置されるのを許容するように該第１保持用壁から間隔をあけて該第１保持用壁に平行に延びる第２保持用壁を有し、該第２保持用壁は該長さ方向で延びて該第１保持用壁に面する開口を有する第２係止用凹部を有し、該固定用部材は該第１係止用凹部内に挿入される第１係止部と、該第２係止用凹部に挿入される第２係止部とを有するようにすることができる。
【００１０】
固定用部材は、第１及び第２係止用凹部に沿って変位可能とされるので、ラックの取付取外しに応じて任意に変位することが可能となる。
【００１１】
更に具体的には、該固定具は、該固定用部材に形成されたネジ穴にネジ係合され、先端がラック保持部材の底壁面に当接されて該底壁面に対して垂直方向に延びるネジを有し、該先端を底壁面に当接させながら該ネジを回転することにより該固定用部材に該底壁面から離れる方向での力を加えて該固定用部材の該第１係止部及び第２係止部をそれぞれ第１係止用凹部の抑え壁及び第２係止用凹部を画定する壁に押圧することにより当該固定用部材を該ラック保持部材に対して固定するようにすることができる。
【００１２】
このようにすることにより、上記ネジと係合するためのネジ穴などをラック保持部材に設ける必要がないために、固定用部材をラック保持部材上の任意の位置で固定することができる。
【００１３】
また、該固定用部材は、該第１及び第２係止用凹部に沿って摺動可能とされて、該一方のフランジが該第１係止用凹部に挿入されて該底壁上に載置されたラックの両端側から当該ラックに向けて摺動することにより該ラック抑え部が、該他方のフランジ上に重なるようにすることができる。
【００１４】
すなわち、固定用部材をラック保持部材の底壁上に配置したラックの両端側から近づけて当接するようにするだけで、ラックの長さ方向及び底壁から離れる方向での動きを阻止する状態とすることが可能となる。
【００１５】
具体的には、該ラックの該他方のフランジが、その両端において、該ラックの両側から摺動されてくる固定用部材の抑え部が該他方のフランジ上に進むのを阻止しないような厚さとされており、該抑え部は該他方のフランジに形成された隆起部上に重なって当該他方のフランジを押さえるようにすることができる。
【００１６】
すなわち、固定用部材の抑え部が他方のフランジ上に抵抗なく進み、且つ、最終的には隆起部に重なって、当該他方のフランジを押さえるようにするものである。
【００１７】
該ラックの一端と該一端に対応する該固定用部材との間に挟着される樹脂製の消音ラック部材を有し、該消音ラック部が、該ラックと共に該固定用部材との間に挟着されたときに、該ラックのラック歯と整列して配置されるラック歯を有するようにすることができる。
【００１８】
前述の引戸における制動装置のピニオンが閉扉位置などに近づいたときにラックとの噛合いが始まるときに、ピニオンの歯とラック歯との係合によって比較的大きな音が発生氏やするため、このピニオンとラックとの噛合が始まる位置にこのような消音ラック部材を設定するようにすることにより、そのような騒音発生を低減することが可能となる。
【００１９】
具体的には、該消音ラック部材が、その左右側面から突出し、該ラックと共に該固定用部材との間に挟着されてときに、該ラック保持部材の第１係止用凹部に嵌合される第１凸部と、該固定用部材の該抑え部によって抑えられる第２凸部とを有するようにすることができる。
【００２０】
消音ラック部材がこのような第１及び第２凸部を有するものとすることにより、ラックと同様に、この消音ラック部材をラック保持部材の長さ方向における任意の位置からラック保持部材に取り付けることが可能となる。
【００２１】
より具体的には、該ラック保持部材が、引戸の戸枠上部に水平に固定されるようになされ、該引戸の戸車を転動可能に支持するレールを有し、該第１保持用壁が該レールと平行に延びるようにされ、該引戸に設定される制動装置を駆動するためのピニオンと噛合されるラックを該ラック保持部材の長さ方向における任意の位置に固定できるようにすることができる。
【００２２】
本発明に係るラック保持ユニットを、引戸の制動装置のピニオンを回転させるためのラックを保持するようにするようにする場合、ラック保持部材がレールを備えるものとすることができる。レールとラック保持部材とを一体的にすることにより、それらの戸枠への取り付け取外しが容易になる。
【００２３】
第１係止用凹部は、ラックをその幅方向で動かすことにより第１係止用凹部内に挿入することができるようにすることも、該一方のフランジを該開口から傾斜した状態で受け入れ、そのように受け入れられたフランジを中心に該ラックを回動することにより該ラックが該底壁上に載置されるのを可能とするようにすることもできる。
【００２４】
以下、本発明に係るラック保持ユニットの実施形態に付き添付図面を用いて説明する。
【図面の簡単な説明】
【００２５】
【図１】本発明に係るラック保持ユニットの斜視図である。
【図２】図１のラック保持ユニットをその端面から見た図であり、ラック保持ユニットのラック保持部材とラックとの関係を明確にするためにラックをラック保持部材に固定する固定具を想像線で示している。
【図３】図１のラック保持ユニットの分解斜視図である。
【図４】図３のラック保持ユニットを左側から見た図であり、ラック及び該ラックをラック保持部材に固定するための固定具のみを実線で示してある。
【図５】図４のラック保持ユニットの平面図である。
【図６】図１のラック保持ユニットで用いられる消音ラック部材の側面図である。
【発明を実施するための形態】
【００２６】
図示のラック保持ユニット１０は、前述した技術的背景で述べた上吊り引戸の制動装置のピニオン(図示せず)が、引戸の動きに伴って、噛合して転動するようにするためのラック１２を保持するためのものであり、制動装置のピニオンとラックとの相互の関係は当業者には周知であるのでその説明は省略する。ラック保持ユニット１０は、ラック保持部材１４と、該ラック保持部材１４にラック１２を固定する固定具１６とを有する。ラック保持部材１４は、アルミ製で、引戸の上部縁に設定された戸車Ａ（図２）を回転自在に支持するレール１８が一体的に成形されており、該レールが水平に設定されるようにして、戸枠上部部材ＢにネジＣにより固定される。
【００２７】
図示のラック１２は、広く用いられているものであり、図３に最もよく示されるように、直線状に配列されたラック歯１２Ａを有する細長いラック本体１２Ｂ及び該ラック本体１２Ｂの左右側面に設けられ該ラック本体の長さ方向に延びる一対のフランジ１２Ｃ、１２Ｄを有する。
【００２８】
図３に示すように、ラック保持部材１４は、ラック１２が該ラック保持部材１４に固定されるときに、該ラック１２が載置される底壁１４Ａと、該ラック１２の一方のフランジ１２Ｃに隣接し該フランジ１２Ｃに沿って延びる第１保持用壁１４Ｂと、該第１保持用壁１４Ｂから対向する該ラック１２の側面に向かって延びて底壁１４Ａとの間に、該ラックの側面に向いた開口を有し該ラックの長さ方向に延びる第１係止用凹部１４Ｃを画定する抑え壁１４Ｄと、を有する。ラック保持部材１４は、更に、該第１保持用壁１４Ｂから間隔をあけて底壁１４Ａから立ち上がり第１保持用壁１４Ｂに平行に延びる第２保持用壁１４Ｅを有する。第２保持用壁１４Ｅは、ラック１２の一方のフランジ１２Ｃが第１係止用凹部１４Ｃの第２保持用壁１４Eに面する開口を通して該第１係止用凹部１４Ｃ内に挿入されて当該ラック１２が、図２に示すように、ラック保持部材１４の底壁１４Ａ上に載置されるようになるのを阻止しないように、第１保持用壁１４Ｂから間隔をあけられている。すなわち、ラック１２は、図２に矢印で示すように、ラック保持部材の上方から該ラック保持部材に近づけながら上記一方のフランジ１２Ｃが抑え壁１４Ｄの下にある第１係止用凹部１４Ｃ内に入るようにして該ラック保持部材の底壁１４Ａに載置するようにするが、そのとき、第２保持用壁１４Ｅが、ラックのそのような動きを阻止しないように設定されている。この場合、第２保持用壁１４Ｅの位置は、ラックを水平な状態にしたまま底壁１４Ａに載置し、その後で、該ラックをその幅方向で動かしてフランジ１２Ｃを第１係止用凹部１４Ｃ内に挿入することができるような位置とすることも、又、それよりも第１保持用壁１４Ｃに近い位置として、ラックをラック保持部材に近づけるときに、該ラックを傾けて先ずフランジ１２Ｃが第１係止用凹部内に入るようにして、そのラックを水平位置に回転すると同時に幅方向へも動かして最終的設定位置とすることができるようにすることも可能である。
【００２９】
固定具１６は、ラック１２がその一方のフランジ１２Ｃが第１係止用凹部１４Ｃに挿入され当該ラック１２がラック保持部材１４の底壁１４Ａ上に載置されたときの当該ラック１２の長さ方向両端に隣接配置されてラック保持部材１４に固定されることにより、ラック１２のその長さ方向での変位を阻止するための一対の固定用部材１６Ａを有する。該固定用部材１６Ａは、それぞれ、ラック１２のフランジ１２Ｄをラック保持部材１４の底壁１４Ａとの間で挟んで、抑え壁１４Ｄとともに、ラック１２が底壁１４Ａから離れる方向で変位するのを阻止すると共に、フランジ１２Ｄが設けられているラック１２の側面と係合することにより、該ラック１２が幅方向で変位するのを阻止するラック抑え部１６Ｂを有する。
【００３０】
固定用部材１６Ａは、ラック保持部材１４の第１係止用凹部１４Ｃ内に挿入される第１係止部１６Ｃと、ラック保持部材１４の第２保持用壁１４Ｅに当該第２保持用壁１４Ｅの長さ方向に延びるように形成された第２係止用凹部１４Ｆに挿入される第２係止部とを有しており、この第２係止部は、図示の例では、ラック抑え部１６Ｂ及び該ラック抑え部からラック１２から離れる方向に延長している延長部分１６Ｄとにより形成されている。このため、第１係止部１６Ｃは第２係止部に対して底壁１４Ａ側に段差をもって連結されており、図示の固定用部材１６Ａは平面視でＴ字状となっており、また、第１係止用凹部１４Ｃは第２係止用凹部１４Ｆに対して底壁１４Ａ側にずれた位置にある。
【００３１】
固定用部材１６Ａは、それぞれ、その中央部分を上下方向で貫通するように設けられたネジ穴が形成されており、該ネジ穴にはネジ１６Ｆが係合され、該ネジの先端がラック保持部材１４の底壁１４Ａに当接するようになされている。このネジ１６Ｆを、その先端が底壁１４Ａに当接した状態で回転することにより該固定用部材１６Ａに底壁１４Ａから離れる方向での力を固定用部材１６Ａに加えて、該固定用部材１６Ａの第１係止部１６Ｃ及び第２係止部（ラック抑え部１６Ｂ及び延長部１６Ｄ）をそれぞれ第１係止用凹部１４Ｃの抑え壁１４Ｄ及び第２係止用凹部１４Ｆを画定する上部壁１４Ｇに押圧することにより当該固定用部材１６Ａをラック保持部材１４に対して固定するようにしてある。
【００３２】
固定用部材１６Ａは、第１及び第２係止用凹部１４Ｃ，１４Ｆに沿って摺動可能とされており、ラック１２の一方のフランジ１２Ｃが該第１係止用凹部１４Ｃに挿入されて底壁１４Ａ上に載置されたラック１２の両端側から当該ラック１２に向けて摺動することにより該ラック抑え部１６Ｂが、ラック１２の他方のフランジ１２Ｄ上に重なるようにされている。図４に示すように、上記他方のフランジ１２Ｄは、固定用部材１６Ａがラック１２に近づくときに、ラック抑え部１６Ｂが支障なく該フランジ１２Ｄ上に進むことができるような厚さとされており、該固定用部材１６Ａが第１係止部１６Ｃにおいてラック１２の端部に係合するようになった状態では、該ラック抑え部１６Ｂが上方から押圧係合するようになる隆起部１２Ｅを有している。本実施形態では図３から分かるように、この隆起部１２Ｅは第１係止用凹部１４Ｃ内に挿入される上記フランジ１２Ｃにも設けられており、ラック保持部材の抑え壁１４Ｄは、この隆起部１２Ｅを介してフランジ１２Ｃを押圧するようになっている。すなわち、フランジ１２Ｃ、１２Ｄは同じ厚さとされ、同じ隆起部１２Ｅが設けられ、当該ラック１２が左右対称に形成されており、該ラックをラック保持部材上に設定するときに、当該ラックの向きに関係なく設定することができる。図示の例では、該隆起部１２Ｅは微小な突起状に形成されているが、例えば、フランジ部１２Ｄがその端部から内側に向かうに従って徐々に厚さが増すような傾斜の付けられたものとすることもできる。固定用部材１６Ａは、通常は、予めその第１及び第２係止部をそれぞれラック保持部材１４の第１及び第２係止用凹部１４Ｃ、１４Ｆ内に係合させてラック保持部材１４に取り付けておき、ラックを固定するときに、上述のように摺動するようにするが、該固定用部材はラックに比べて短いので、ラック保持部材の取付場所によっては、ラックをラック保持部材１４に固定するときに、該ラック保持部材１４に対してその端部から挿入するようにすることもできる。
【００３３】
図示のラック保持ユニット１０は、ラック１２の一端（図２の右端）と該一端に対応する固定用部材１６Ａとの間に挟着されるゴムなどの樹脂製の消音ラック部材２０を有し、消音ラック部材２０が、ラック１２と共に該固定用部材１６Ａとの間に挟着されたときに、該ラックのラック歯１２Ａと整列して配置されるラック歯２０Ａを有するようにされている。すなわち、図示の例では、図１及び図３における左側が引戸の閉扉方向であり、引戸が閉扉方向に動かされて閉扉位置に近づいたときに、ラック１２に対して右側から近づいてくる引戸の戸車の制動装置のピニオンが該ラック１２のラック歯１２Ａと噛合をはじめるときに先ず、該消音ラック部材２０のラック歯２０Ａと噛合するようにし、ラック歯とピニオンの歯との噛み合いの初めの時点で生じる該噛合いの音を低くするようにしている。尚、図示のラック歯２０Ａは、ラック１２のラック歯とはその形状を異にしているが、これは、上述の消音作用を目的としたものであるためである。
【００３４】
消音ラック部材２０は、その左右側面から突出し、ラック保持部材１４の第１係止用凹部１４Ｃに嵌合される第１凸部２０Ｂと、固定用部材１６Ａの該抑え部１６Ｂによって抑えられる第２凸部２０Ｃとを有する。
【００３５】
以上、本発明に係るラック保持ユニットにつき述べたが、本発明はこれに限定されるものではない。例えば、上述の説明では、ラック保持ユニットが引戸の制動装置のピニオンと噛合されるラックを保持するものとされているが、他の装置におけるピニオンと噛合されるラックの保持にも適用することができる。
【符号の説明】
【００３６】
戸車Ａ；戸枠上部部材Ｂ；ネジＣ；ラック保持ユニット１０；ラック１２；ラック歯１２Ａ；ラック本体１２Ｂ；フランジ１２Ｃ、１２Ｄ；隆起部１２Ｅ；ラック保持部材１４；底壁１４Ａ；第１保持用壁１４Ｂ；第１係止用凹部１４Ｃ；抑え壁１４Ｄ；第２保持用壁１４Ｅ；第２係止用凹部１４Ｆ；固定具１６；固定用部材１６Ａ；ラック抑え部１６Ｂ；第１係止部１６Ｃ；延長部分１６Ｄ；ネジ１６Ｆ；レール１８；消音ラック部材２０；ラック歯２０Ａ
【図１】
2011137313.tif 000003
【図２】
2011137313.tif 000004
【図３】
2011137313.tif 000005
【図４】
2011137313.tif 000006
【図５】
2011137313.tif 000007
【図６】
2011137313.tif 000008